(57)【特許請求の範囲】
【請求項１】
冬期用後養生制御機能付きコンクリート二次製品養生制御装置であって、  タイマーと、  コンクリート二次製品が置かれる養生室内の温度を検知する温度センサから温度情報を受信する温度情報受信部と、  前記タイマーからの時間情報（ｔi  ）と前記温度情報受信部からの温度情報（Ｔi  ）に基づいて、温度勾配（ΔＴi  ）／（Δｔi  ）を計算するための演算部と、  前記演算部において計算された前記温度勾配（ΔＴi  ）／（Δｔi  ）と予め設定した値αとの大小を比較する比較部と、  前記養生室内に蒸気を供給する蒸気供給配管に配置された弁を開閉する弁開閉部とを備え、 前記養生室内において所定の昇温角度で温度を上昇させ、一定温度を所定時間保持することによって前記コンクリート二次製品の本養生が行われた後、前記弁を閉鎖して前記養生室内への前記蒸気の供給を停止し、  前記温度勾配（ΔＴi  ）／（Δｔi  ）が前記値αよりも大きくなると前記弁を開放し、前記温度勾配（ΔＴi  ）／（Δｔi  ）が前記値α以下になると前記弁を閉鎖し、これにより所定の降温勾配の範囲内で前記養生室内の温度を低下させるように構成されていることを特徴とする装置。
【請求項２】
前記値αが−２０°Ｃ／時であることを特徴とする請求項１に記載された装置。
【発明の詳細な説明】
【技術分野】
【０００１】
本発明は一般に、コンクリート二次製品の製造時における養生工程を制御するための装置に関する。より詳細には、本発明は、冬期においても対応できる冬期用後養生御機能付きコンクリート二次製品養生制御装置に関する。
【背景技術】
【０００２】
ヒューム管、杭、ボックスカルバート、パネル等のコンクリート二次製品は、その製造に際して、所定の型枠にコンクリートを投入した後、硬化作用を促進させ、乾燥によるクラックの発生を防止するため、コンクリート養生室内に収容されて養生される。コンクリートの養生は一般的に、コンクリート養生室内において、まず所定の昇温角度で温度を上昇させた後、一定温度を所定時間保持することによって、行われる。このように、高品質のコンクリート二次製品を製造するには、養生工程は必要不可欠な工程である。
【発明の概要】
【発明が解決しようとする課題】
【０００３】
しかしながら、冬期において外気温が極端に低い場合には、養生工程が終了した後、温度が急激に低下することが予想されるが、このような事態が生ずると、コンクリート二次製品に凍上被害が生じたりクラックが発生したりして、コンクリート二次製品の品質が損なわれるという弊害がある。
【０００４】
本発明は、このような状況に鑑みて開発されたものであって、冬期においても適切に対応できる冬期用後養生御機能付きコンクリート二次製品養生制御装置を提供することを目的としている。
【課題を解決するための手段】
【０００５】  本願請求項１に記載された冬期用後養生制御機能付きコンクリート二次製品養生制御装置は、タイマーと、コンクリート二次製品が置かれる養生室内の温度を検知する温度センサから温度情報を受信する温度情報受信部と、前記タイマーからの時間情報（ｔi  ）と前記温度情報受信部からの温度情報（Ｔi  ）に基づいて、温度勾配（ΔＴi  ）／（Δｔi  ）を計算するための演算部と、前記演算部において計算された前記温度勾配（ΔＴi  ）／（Δｔi  ）と予め設定した値αとの大小を比較する比較部と、前記養生室内に蒸気を供給する蒸気供給配管に配置された弁を開閉する弁開閉部とを備え、前記養生室内において所定の昇温角度で温度を上昇させ、一定温度を所定時間保持することによって前記コンクリート二次製品の本養生が行われた後、前記弁を閉鎖して前記養生室内への前記蒸気の供給を停止し、前記温度勾配（ΔＴi  ）／（Δｔi  ）が前記値αよりも大きくなると前記弁を開放し、前記温度勾配（ΔＴi  ）／（Δｔi  ）が前記値α以下になると前記弁を閉鎖し、これにより所定の降温勾配の範囲内で前記養生室内の温度を低下させるように構成されていることを特徴とするものである。【０００６】
本願請求項２に記載された冬期用後養生制御機能付きコンクリート二次製品養生制御装置は、前記請求項１の装置において、前記値αが−２０°Ｃ／時であることを特徴とするものである。
【発明の効果】
【０００７】
本発明によれば、後養生において養生室内の温度が急激に低下するのを回避することができるので、冬期においてもコンクリート二次製品の品質を良好に保持することができる。本発明の装置は、構造が比較的簡単であるため、製造コストを安価に抑えることができるとともに、保守管理も容易である。
【図面の簡単な説明】
【０００８】
【図１】本発明の好ましい実施の形態に係る冬期用後養生制御機能付きコンクリート二次製品養生制御装置および該装置によって制御される養生室を模式的に示した図である。
【図２】冬期用後養生制御機能付きコンクリート二次製品養生制御装置の詳細を示した模式図である。
【図３】冬期用後養生制御機能付きコンクリート二次製品養生制御装置の作動例を示すフロー図である。
【図４】図４（ａ）は養生室内における時間と温度の関係を示したグラフ、図４（ｂ）は図４（ａ）の部分４ｂの拡大図である。
【発明を実施するための形態】
【０００９】
次に図面を参照して、本発明の好ましい実施の形態に係る冬期用後養生制御機能付きコンクリート二次製品養生制御装置について説明する。図１は、本発明の好ましい実施の形態に係る冬期用後養生制御機能付きコンクリート二次製品養生制御装置(以下、「単に養生制御装置」という)によって制御される養生室を模式的に示した図である。図１において、参照符号１０は、養生時にコンクリート二次製品が置かれる養生室を示している。養生室１０には、コンクリート二次製品の搬入・搬出用の扉１０ａが設けられている。
【００１０】
養生室１０の内部の下部分には、蒸気配管１２が配置されており、蒸気配管１２は、養生室１０の側壁のうち扉１０ａが設けられている側壁以外の３つの側壁に沿って、平面視「コ」字形に配置されている。蒸気配管１２には、所定間隔を隔てて複数の蒸気排出孔１２ａが設けられている。
【００１１】
蒸気配管１２は、蒸気供給配管１４を介して、養生室１０の外部に配置された蒸気発生源（図示せず）に連結されている。蒸気供給配管１４には、養生室１０内への蒸気の供給・供給遮断を行うための弁１６が設置されている。
【００１２】
養生室１０には、養生室１０の内部の温度を検知するための温度センサ１８が設置されている。
【００１３】
なお、養生室１０には通常、養生室１０内の蒸気を外部に排出させるための蒸気排出用配管、養生室１０内に外気を導入するための外気導入用配管が設置されており、蒸気供給配管１４には通常、水分が少なく潜熱の大きな良質の蒸気を供給するための減圧弁ユニットが配置されているが、本発明の要旨とは直接関係しないので、これ以上の説明および図示を省略する。
【００１４】
養生制御装置２０は、図２に示されるように、タイマー２０ａと、温度センサ１８から温度情報を受信する温度情報受信部２０ｂと、タイマー２０ａからの時間情報（ｔi  ）と温度情報受信部２０ｂからの温度情報（Ｔi  ）に基づいて、温度勾配（ΔＴi  ）／（Δｔi  ）を計算するための演算部２０ｃと、演算部２０ｃにおいて計算された温度勾配（ΔＴi  ）／（Δｔi  ）と予め設定した値αとの大小を比較する比較部２０ｄと、温度勾配（ΔＴi  ）／（Δｔi  ）が値αよりも大きい場合に弁１６を閉鎖する信号を送信する弁開閉部２０ｅとを備えている。
【００１５】
次に、以上のように構成された養生制御装置１０の使用について説明する。まず、養生しようとするコンクリート二次製品を養生室１０内に搬入する。次いで、蒸気配管１２の蒸気排出孔１２ａから養生室１０内に蒸気を排出する。すると、養生室１０内の温度は、図４（ａ）においてＡ〜Ｂで示されるように、所定の昇温角度で上昇する。次いで、蒸気の排出を調整することにより、図４（ａ）においてＢ〜Ｃに示されるように、一定の時間、一定の温度を保持する。
【００１６】
本養生作業が終了すると、後養生（Ｃ〜Ｄ）を行う。図３は、後養生の工程を示したフロー図である。蒸気の排出を停止すると、養生室１０内の温度は徐々に低下する。その際、温度センサ１８によって検知された温度情報（Ｔi  ）が、養生制御装置１０の温度情報受信部２０ｂに送られる。そして、受信された温度情報（Ｔi  ）とタイマー２０ａからの時間情報（ｔi  ）に基づいて、演算部２０ｃにおいて温度勾配（ΔＴi  ）／（Δｔi  ）を計算する。次いで、比較部２０ｄにおいて、温度勾配（ΔＴi  ）／（Δｔi  ）と設定値αとの大小を比較し、温度勾配（ΔＴi  ）／（Δｔi  ）が設定値αより大きい（（ΔＴi  ）／（Δｔi  ）＞α）と、弁開閉部２０ｅから開放信号を送って弁１６を開放し、蒸気配管１２の蒸気排出孔１２ａから養生室１０内に蒸気を噴射する。これにより、養生室１０内の温度は上昇する。そして、温度勾配（ΔＴi  ）／（Δｔi  ）が設定値α以下になる（（ΔＴi  ）／（Δｔi  ）≦α）と、弁開閉部２０ｅから閉鎖信号を送って弁１６を閉鎖し、蒸気の噴射を停止する。以上の操作を後養生期間の全体にわたって行い、所定の降温勾配の範囲内で養生室１０内の温度が低下するようにする。後養生期間の終了後、扉１０ａを開けてコンクリート二次製品を搬出する。
【００１７】
なお、設定値αは好ましくは、−２０°Ｃ／時である。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
たとえば、図１に示される養生室１０や蒸気配管１２等の形状、寸法等は、単なる例示なものであり、図示された以外の形状、寸法等を採用してもかまわない。
【符号の説明】
【００２０】
１０  養生室
１２  蒸気配管
１４  蒸気供給配管
１６  弁
１８  温度センサ
２０  冬期用後養生制御機能付きコンクリート二次製品養生制御装置
２０ａ  タイマー
２０ｂ  温度情報受信部
２０ｃ  演算部
２０ｄ  比較部
２０ｅ  弁開閉部
【図１】
0006033272.tif 000002
【図２】
0006033272.tif 000003
【図３】
0006033272.tif 000004
【図４】
0006033272.tif 000005